(57)【要約】【課題】  文字や図形または記号を表す装飾部を立体的に表現でき、しかも装飾部が二重に見えるのを防止できる装飾パネルを提供する。【解決手段】  操作釦などとして使用される装飾パネル１０は、前方透光部材１１と後方透光部材１２との間に装飾部２０が設けられ、装飾部２０は遮蔽層２１の後方に対向反射層２２が重ねられて構成されている。後方透光部１１と照光用の透光部材１３との間に後方反射層２５が設けられている。装飾部２０は奥行方向の中間位置に浮いたように表示される。また装飾部２０の後方の対向面が対向反射面２０ａとなっているので、後方反射面２５ａに装飾部２０が写り込むのを防止できる。【選択図】図５
2019091667.tif 000002
【特許請求の範囲】
【請求項１】
前方に位置し透光性材料で形成された前方透光部材と、前記前方透光部材に設けられた装飾部とを有する装飾パネルにおいて、
前記装飾部よりも後方に距離を開けて後方反射面が設けられ、
前記装飾部の少なくとも前記後方反射面に対向する対向面が対向反射面であり、
前記後方反射面と前記対向反射面とが鏡面反射面であることを特徴とする装飾パネル。
【請求項２】
前記前方透光部材の後方に、透光性材料で形成された後方透光部材が重ねられており、前記後方透光部材の後面に前記後方反射面が設けられている請求項１記載の装飾パネル。
【請求項３】
前記前方透光部材の後面と、前記後方反射面との間が空間である請求項１記載の装飾パネル。
【請求項４】
前記装飾部が、前記前方透光部材の後面に設けられている請求項２または３記載の装飾パネル。
【請求項５】
前記前方透光部材の前面に前記装飾部が設けられ、前記前方透光部材の後面に前記後方反射面が設けられている請求項１記載の装飾パネル。
【請求項６】
前記装飾部は、遮光層と、前記遮光層の後方に重ねられた対向反射層とで構成され、前記対向反射層で前記対向反射面が形成されている請求項１ないし５のいずれかに記載の装飾パネル。
【請求項７】
前記遮光層と、その後方に重ねられた前記対向反射層は、同じ平面形状で同じ大きさである請求項６記載の装飾パネル。
【請求項８】
前記遮光層よりもその後方に重ねられた前記対向反射層の面積が大きい請求項６記載の装飾パネル。
【請求項９】
前記装飾部が対向反射層のみで形成され、前記対向反射層で前記対向反射面が形成されている請求項１ないし５のいずれかに記載の装飾パネル。
【請求項１０】
前記後方反射面はハーフミラーであり、前記ハーフミラーに後方から照明光を与える照光部が設けられている請求項１ないし９のいずれかに記載の装飾パネル。
【請求項１１】
前記前方透光部材が押されたときに動作するスイッチ機構が設けられている請求項１ないし１０のいずれかに記載の装飾パネル。
【発明の詳細な説明】
【技術分野】
【０００１】
本発明は、車載用の操作装置などに設けられて、例えばスイッチ機構を操作するための押釦部として使用される装飾パネルに関する。
【背景技術】
【０００２】
特許文献１にキートップ板に関する発明が記載されている。
特許文献１の図３に記載されているキートップ板は、熱可塑性の透明な材料で形成されたキートップを有しており、キートップの上方に第一のフィルム板が設置され、キートップの下面側に第二のフィルム板が設置されている。第一のフィルム板には、文字や図形または記号を示す印刷層が形成されている。第二のフィルム板には、そのほぼ全面に蒸着層が設けられている。蒸着層は、金属色調であり、アルミニウム、ニッケル、チタン、クロムなどで形成されている。
【０００３】
特許文献１の段落[００２９]には、キートップを押圧操作することでスイッチ接点がオンとなることが記載されている。また、キートップ板の下側に発光手段を配置して、その光をキートップ板に導くと、キートップの表面に印刷された印刷層がくっきりと明るく照らし出され、さらに、キートップの下面に蒸着層が設けられているため、上から見ると、透明感を持つとともに、蒸着層の上に印刷層が一体的に浮き上がって見え、立体感および高級感を出せる、ことが記載されている。
【先行技術文献】
【特許文献】
【０００４】
【特許文献１】特開２００２−３６７４６８号公報
【発明の概要】
【発明が解決しようとする課題】
【０００５】
特許文献１に記載されたキートップ板は、透明なキートップの下側に蒸着層が形成されているため、キートップの上側おいて文字や図形または記号を表している印刷層が、下側に位置する蒸着層に写ってしまう課題がある。キートップ板を印刷層の真上から見る場合にはさほど問題がないが、キートップ板を斜め上方から見ると、蒸着層に写った印刷層の反射像と、印刷層そのものとが上下に二重に見えることになる。よって、文字や図形または記号を表している印刷層が見にくくなり、立体感や高級感を阻害することになる。
【０００６】
本発明は上記従来の課題を解決するものであり、前方透光部材に設けられた装飾部を立体的に浮き出るように表示でき、しかも装着部が二重に見えることを防止でるようにした装飾パネルを提供することを目的としている。
【課題を解決するための手段】
【０００７】
本発明は、前方に位置し透光性材料で形成された前方透光部材と、前記前方透光部材に設けられた装飾部とを有する装飾パネルにおいて、
前記装飾部よりも後方に距離を開けて後方反射面が設けられ、
前記装飾部の少なくとも前記後方反射面に対向する対向面が対向反射面であり、
前記後方反射面と前記対向反射面とが鏡面反射面であることを特徴とするものである。
【０００８】
本発明の装飾パネルは、前記前方透光部材の後方に、透光性材料で形成された後方透光部材が重ねられており、前記後方透光部材の後面に前記後方反射面が設けられているものが好ましい。
【０００９】
ただし、本発明の装飾パネルは、前記前方透光部材の後面と、前記後方反射面との間が空間であってもよい。
【００１０】
本発明の装飾パネルは、前記装飾部が、前記前方透光部材の後面に設けられていることが好ましい。
【００１１】
本発明の装飾パネルは、前記前方透光部材の前面に前記装飾部が設けられ、前記前方透光部材の後面に前記後方反射面が設けられているものであってもよい。
【００１２】
本発明の装飾パネルは、前記装飾部は、遮光層と、前記遮光層の後方に重ねられた対向反射層とで構成され、前記対向反射層で前記対向反射面が形成されているものである。
【００１３】
この場合に、前記遮光層と、その後方に重ねられた前記対向反射層は、同じ平面形状で同じ大きさであることが好ましい。ただし、前記遮光層よりもその後方に重ねられた前記対向反射面の面積が大きいものであってもよい。
【００１４】
本発明の装飾パネルは、前記装飾部が対向反射層のみで形成され、前記対向反射層で前記対向反射面が形成されているものであってもよい。
【００１５】
本発明の装飾パネルは、前記後方反射面はハーフミラーであり、前記ハーフミラーに後方から照明光を与える照光部が設けられているものが好ましい。
【００１６】
本発明の装飾パネルは、例えば、前記前方透光部材が押されたときに動作するスイッチ機構が設けられているものである。
【発明の効果】
【００１７】
本発明の装飾パネルは、前方透光部材の前面や後面あるいは前面と後面との中間部に装飾部が設けられ、装飾部よりも後方に離れた位置に後方反射面が設けられている。そのため、装飾部が後方反射面の前方に浮いているように見え、装飾部で表現されている文字や図形または記号などを立体的に表示させることが可能となる。
【００１８】
しかも、装飾部の少なくとも後方反射面に対向する対向面が対向反射面であり、後方反射面と対向反射面とが共に鏡面反射面であるため、前方に位置する装飾部が後方反射面に写り込みにくくなり、装飾部が二重に見えることを防止できるようになる。
【図面の簡単な説明】
【００１９】
【図１】本発明の第１実施形態の装飾パネルを備えた操作装置を示す部分斜視図、
【図２】図１に示す装飾パネルおよび操作装置を示す部分正面図、
【図３】図２に示す装飾パネルおよび操作装置をＩＩＩ−ＩＩＩ線で切断した断面図、
【図４】装飾パネルの各部分を分解して示す分解斜視図、
【図５】前記第１実施形態の装飾パネルの装飾効果を説明する側面図であり、説明の都合上、各部分を前後に離した状態で示している、
【図６】前記第１実施形態の変形例となる装飾パネルの装飾効果を説明する側面図であり、説明の都合上、各部分を前後に離した状態で示している、
【図７】本発明の第２実施形態となる装飾パネルの装飾効果を説明する側面図であり、説明の都合上、各部分を前後に離した状態で示している、
【図８】本発明の第３実施形態となる装飾パネルの装飾効果を説明する側面図であり、説明の都合上、各部分を前後に離した状態で示している、
【図９】装飾部を構成する遮光層と対向反射層の相対関係の変形例を示す拡大正面図、
【発明を実施するための形態】
【００２０】
図１ないし図３に操作装置１が示されている。この操作装置１に、本発明の第１実施形態の装飾パネル１０が備えられている。
【００２１】
操作装置１は、車載用操作装置、航空機用操作装置、家庭用各種電子機器の操作装置、産業機械の操作装置、などとして使用される。装飾パネル１０は、操作装置１内のスイッチ機構８を動作させるための押釦として使用される。ただし、装飾パネルは動作せずに、単なる装飾用の表示装置として使用されてもよい。
【００２２】
操作装置１は、Ｚ１方向が前方であり、Ｚ２方向が後方である。操作装置１は支持体２を有している。支持体２は合成樹脂材料で形成されている。支持体２の前方（Ｚ１方向）に向けられる表面が操作面２ａである。車載用では、操作装置１が、車室内に設けられたインストルメントパネルやダッシュボードに埋設されて固定され、操作面２ａが車室内に向けられる。
【００２３】
図３に示すように、支持体２の内部には、後方に位置する検知空間３と、検知空間３から前方に連通する摺動空間４とが形成されて、検知空間３と摺動空間４との境界部に段差部５が設けられている。摺動空間４に第１実施形態の装飾パネル１０がＺ２方向へ押圧操作可能に設けられている。図１と図２に示すように、支持体２の操作面２ａには、他の操作部材６ａ，６ｂが設けられている。操作部材６ａ，６ｂも押圧操作可能である。
【００２４】
図３と図４および図５に示すように、装飾パネル１０は、前方（Ｚ１方向）に位置する前方透光部材１１と、前方透光部材１１の後方に重ねられた後方透光部材１２と、さらに後方透光部材１２の後方に重ねられた照光用の透光部材１３とを有している。前方透光部材１１と後方透光部材１２は、いずれもポリカーボネート樹脂やアクリル樹脂などの透光性樹脂で形成されている。前方透光部材１１と後方透光部材１２は、全光線透過率が８０％以上の着色されていない透明樹脂で形成されている。ただし、前方透光部材１１と後方透光部材１２の少なくとも一方が、赤、青、緑などの有彩色に着色され全光線透過率が５０％以上または６０％以上のものであってもよい。
【００２５】
照光用の透光部材１３も、ポリカーボネート樹脂やアクリル樹脂などの透光性樹脂で形成されている。この透光部材１３は、例えば、白色フィラーが含まれて内部で光を乱反射させることができるものである。前方透光部材１１と後方透光部材１２および照光用の透光部材１３は、互いに光学接着剤により接着固定されている。
【００２６】
図３に示すように、支持体２の検知空間３に復帰ばね７が設けられ、復帰ばね７によって装飾パネル１０が前方（Ｚ１方向）に付勢されている。装飾パネル１０は、後方透光部材１２と照光用の透光部材１３との境界部が段差部５に押しつけられて、前方（Ｚ１方向）への抜け止めがなされている。検知空間３には、装飾パネル１０がＺ２方向に押されたときに動作するスイッチ機構８が設けられている。また、検知空間３には、ＬＥＤなどの光源９が設けられ、必要に応じて光源９から照光用の透光部材１３に照明光が与えられる。照光部材１３と光源９とで照光部が構成されている。
【００２７】
図４に、装飾パネル１０が分解斜視図で示されており、図５には、装飾パネル１０が側面図で示されている。図５では、図示の都合上、各透光部材１１，１２，１３が前後方向に離れた状態で示されている。
【００２８】
前方透光部材１１は六面体であり、前方（Ｚ１方向）に向く前面１１ａと。後方（Ｚ２方向）に向く後面１１ｂを有している。後面１１ｂは前後方向（Ｚ１−Ｚ２方向）と直交する平坦面である。各図では、前面１１ａが平坦面であるが、前年１１ａは、中央部が前方に突出する突曲面形状であってもよい。後方透光部材１２も六面体であり、前方（Ｚ１方向）に向く前面１２ａと、後方（Ｚ２方向）に向く後面１２ｂを有している。前面１２ａと後面１２ｂは、前後方向（Ｚ１−Ｚ２方向）と直交する平坦面である。なお、前方透光部材１１と後方透光部材１２が円板形状などであってもよい。
【００２９】
図４と図５に示すように、前方透光部材１１と後方透光部材１２との間に装飾部２０が設けられている。装飾部２０は、前方透光部材１１の後面１１ｂに密着して形成され、または後方透光部材１２の前面１２ａに密着して形成されている。
【００３０】
照光用の透光部材１３は、後方透光部材１２よりも平面形状がやや大きい六面体であり、前方（Ｚ１方向）に向く前面１３ａと後方（Ｚ２方向）に向く後面１３ｂを有している。前面１３ａと後面１３ｂは、前後方向（Ｚ１−Ｚ２方向）と直交する平坦面である。
【００３１】
図４と図５に示すように、後方透光部材１２の後面１２ｂと照光用の透光部材１３の前面との間に後方反射層２５が形成されている。後方反射層２５は、後方透光部材１２の後面１２ｂに密着して形成され、または照光用の透光部材１３の前面１３ａに密着して形成されている。後方反射層２５の前方（Ｚ１方向）に向く面は、後方透光部材１２の後面１２ａのほぼ全域に対応する広さの後方反射面２５ａとなっている。
【００３２】
後方反射層２５は、銀、アルミニウム、錫、ニッケル、チタンなどの金属の蒸着膜であり、後方反射面２５ａは鏡面反射面である。また、後方反射層２５は、金属の蒸着膜の厚さや金属の密度を調整することで半反射面（ハーフミラー）として機能するようになっている。後方反射面層２５が半反射面であると、装飾パネル１０を前方から見たときに、後方反射層２５で形成されている後方反射面２５ａが、金属反射面として目視されるが、光源９が点灯すると、光源９から発せられる照明光が透光部材１３内で乱反射され、後方反射面２５ａを透過して、前方から照明状態を目視できるようになる。
【００３３】
図４と図５に示すように、装飾部２０は、前方に位置する遮光層２１と、遮光層２１の後方に重ねられた対向反射層２２とで構成されている。そのため、装飾部２０の後方（Ｚ２方向）に向く対向面が対向反射面２０ａとなっている。対向反射層２２は、銀、アルミニウム、錫、ニッケル、チタンなどの金属の蒸着膜であり、対向反射面２０ａは鏡面反射面である。対向反射層２２は、後方反射層２５と同じ色相の金属色であることが好ましく、さらに好ましくは、対向反射層２２と後方反射層２５が同じ材料を用いた蒸着膜で形成される。対向反射層２２と後方反射層２５が同じ材料によって同種の工程で形成されると、対向反射面２０ａは後方反射面２５ａと同じハーフミラー面となる。
【００３４】
なお、対向反射層２２と後方反射層２２が、金属色のインキを用いて印刷されて形成されてもよい。
【００３５】
前記後方反射面２５ａと前記対向反射面２０ａは鏡面反射面であるが、本明細書での「鏡面反射面」とは、その反射機能の少なくとも一部が、鏡面反射または正反射するものであり、鏡面反射面に与えられた光の少なくとも一部が正反射し、入射角と反射角が同じ角度であることを意味している。前記後方反射面２５ａと前記対向反射面２０ａは、正反射機能が１００％であり拡散反射機能を有しないことが好ましいが、本発明では、正反射機能が支配的であれば、一部拡散反射機能を有するものであってもよい。
【００３６】
装飾部２０の遮光層２１は、黒、緑、赤、などの有彩色のインキを用いて印刷されて形成されている。遮光部２０の遮光機能としては、全光線透過率が必ずしもゼロである必要はなく、ある程度の光量を透過させるものであってもよい。ただし、光源９から照明光が発せられたときに、その照明光の透過率は、後方反射層２５よりも遮光層２１の方が低いことが好ましい。
【００３７】
第１実施形態の装飾パネル１０では、装飾部２０の遮光層２１と対向反射層２２とが同じ形状で同じ大きさであり、どちらもはみ出ることなく重ねられている。装飾部２０により文字や図形または記号が表現される。第１実施形態では、装飾部２０が、「ＯＮ」の文字と、トーン記号の記号とで表現されている。
【００３８】
次に、装飾パネル１０を前方から見たときの装飾効果を説明する。
図３に示す光源９が点灯していないときは、図５に示すように、外部からの光Ｌが装飾パネル１０の前方透光部材１１と後方透光部材１２の内部に入り、後方透光部材１２の後方に設けられた後方反射面２５ａで反射（ほぼ正反射）される。後方反射面２５ａからの反射光は装飾部２０を透過して、操作者の眼Ｅで認識される。その結果、装飾パネル１０の前後方向の奥行寸法の中間位置に、装飾部２０の遮光層２１が浮いているように見ることができる。また、装飾パネル１０の奥に後方反射面２５ａが設けられているので、装飾パネル１０の奥行きも深く感じられる。
【００３９】
装飾部２０は、後方（Ｚ２方向）側が対向反射面２０ａとなっており、対向反射面２０ａは、後方反射面２５ａと同系色の金属膜で鏡面反射面となっている。そのため、後方反射面２５ａに装飾部２０の形状が写り込むことがなく、写ったとしてもほとんど無視できる程度の像となる。よって、装飾パネル１０を斜め前方からみたときに、装飾部２０の形状が前後に離れた像として二重に目視されるようなことがなくなり、装飾部２０が見やすくなり、装飾パネル１０の全体が立体感を有して目視されるようになる。
【００４０】
次に、夜間などに光源９が点灯すると、光源９からの照明光が照光用の透光部材１３に入射し、透光部材１３の内部で乱反射されて、照明光が後方透光部材１２に均一に与えられる。照明光は、半反射層である後方反射層２５を透過し、前方の装飾部２０を通過して、操作者の眼Ｅで認識される。装飾パネル１０の全体が照明光により照らし出され、さらに装飾パネル１０の奥行方向の中間位置で装飾部２０が明るく照らされて浮かんでいるように見える。光源９からの照明光は、後方反射層２５を透過して装飾部２０に当たるが、装飾部２０は後方に向く対向面が対向反射面２０ａとなっているため、装飾部２０が後方反射面２５ａに写り込みにくくなる。よって、照明されているときも、装飾部２０が二重に見えることがなく装飾部２０を見やすくなり、全体的に立体感を有するように認識されるようになる。
【００４１】
図６に、本発明の第１実施形態の変形例となる装飾パネル１０Ａが示されている。
この装飾パネル１０Ａは、前方透光部材１１と後方透光部材１２との間に装飾部２０Ａが設けられているが、装飾部２０Ａは対向反射層２２の単層で形成されている。好ましくは、対向反射層２２は、後方反射層２５と同じ金属蒸着層で形成され、同じ色相の金属表面を形成している。対向反射層２２は、後方反射層２５と同じ半反射層であり、鏡面反射面であり半反射面となっている。
【００４２】
装飾部２０Ａが対向反射層２２のみで形成されていると、操作者の眼Ｅでは、装飾パネル１０Ａの前後方向の奥行の中間位置に金属色の文字や図形または記号が浮かんでいるように見える。また対向反射層２２によって対向反射面２０ａが形成されているため、後方反射面２５ａに装飾部２０Ａの形状が写り込みにくくなる。また、装飾部２０Ａを形成する対向反射層２２が半反射面であると、光源９を点灯したときに、照明光が後方反射層２５を透過し、さらに装飾部２０Ａの対向反射層２２を透過するため、操作者の眼Ｅには、装飾パネル１０Ａの奥行方向の中間位置において、装飾部２０Ａの文字や図形または記号が輝くように見えるようになる。
【００４３】
図７に本発明の第２実施形態の装飾パネル１１０が示されている。
この装飾パネル１１０は、前方透光部材１１とその後方に接合された照光用の透光部材１３とで構成されている。前方透光部材１１の前面１１ａに装飾部２０が密着して形成されている。装飾部２０は、前面１１ａに蒸着された対向反射層２２の前方に、遮光層２１が重ねて印刷されて形成されている。なお、装飾部２０が対向反射層２２のみで形成されていてもよい。また、前方透光部材１１の後面１１ｂまたは照光用の透光部材１３の前面１３ａに後方反射層２５が蒸着されて形成されている。
【００４４】
この装飾パネル１１０は、その最前面に装飾部２０が現れているが、前方透光部材１１が前後方向（Ｚ１−Ｚ２方向）に厚みを有し、後方（Ｚ２側）に後方反射面２５ａが形成されているため、操作者の眼Ｅに奥行きと立体感を感じさせることができる。また後方反射面２５ａに装飾部２０の文字や記号、または図形が写り込むのを防止できるようになる。
【００４５】
図８に本発明の第３実施形態の装飾パネル２１０が示されている。
この装飾パネル２１０は、前方透光部材１１の後面１１ｂに装飾部２０が密着して形成されている。装飾部２０は、印刷された遮光層２１の後方に対向反射層２２が重ねて蒸着されて形成されている。なお、装飾部２０が対向反射層２２のみで形成されていてもよい。図１に示す操作装置１の支持体２において、前方透光部材１１のみが前後方向（Ｚ１−Ｚ２方向）へ移動自在に支持されて、前方透光部材１１が押釦として動作できるようになっており、前方透光部材１１でスイッチ機構８が動作させられる。
【００４６】
前方透光部材１１の後方（Ｚ２方向）には空間２９を開けて、照光用の透光部材１３が固定されて設けられている。透光部材１３の前面１３ａに後方反射層２５が蒸着されて形成されており、その前面が後方反射面２５ａとなっている。また透光部材１３の後方に光源９が配置されている。
【００４７】
図８に示す装飾パネル２１０においても、前後方向の奥行きの中間位置に装飾部２０が浮かんで見えるようになる。また装飾部２０の後面が対向反射面２０ａであるため、後方反射面２５ａに装飾部２０で表される文字や図形または記号が写り込みにくくなる。
【００４８】
図９には前記各実施形態の変形例となる装飾パネル３１０が正面図で示されている。
前記各実施形態の装飾部２０では、図４に示すように、遮光層２１と対向反射層２２とが同じ形状で同じ大きさで重ねられて形成されている。これに対し、図９に示す変形例では、遮光層２１よりも対向反射層２２の面積が大きく、遮光層２１の周囲から対向反射層２２がはみ出ている。この構造では、操作者の眼Ｅで前方から見たときに、文字や図形または記号を表している遮光層２１の周囲に金属色の対向反射層２２が現れるようになる。
【００４９】
なお、本発明は、前記各実施形態に限られるものではなく、以下のさらなる変形が可能である。
【００５０】
各実施形態において、前方透光部材１１が前後方向に二分割された透光部材で形成され、前後の透光部材の中間に装飾部２０が挟まれた状態で前後の透光部材が接合され、これが前方透光部材１１とされてもよい。
【００５１】
また、図８に示す実施形態において、装飾部２０が、前方透光部材１１の前面１１ａに密着して形成されていてもよい。
【００５２】
さらに、対向反射層２２と後方反射層２５とが有彩色の金属層で形成されていてもよい。
【符号の説明】
【００５３】
１  操作装置
２  支持体
８  スイッチ機構
１０，１０Ａ，１１０，２１０，３１０  装飾パネル
１１  前方透光部材
１１ａ  前面
１１ｂ  後面
１２  後方透光部材
１２ａ  前面
１２ｂ  後面
１３  照光用の透光部材
２０  装飾部
２０ａ  対向反射面
２１  遮光層
２２  対向反射層
２５  後方反射層
２５ａ  後方反射面
【図１】
2019091667.tif 000003
【図２】
2019091667.tif 000004
【図３】
2019091667.tif 000005
【図４】
2019091667.tif 000006
【図５】
2019091667.tif 000007
【図６】
2019091667.tif 000008
【図７】
2019091667.tif 000009
【図８】
2019091667.tif 000010
【図９】
2019091667.tif 000011